(57)【特許請求の範囲】
【請求項１】
複数の検査装置と該複数の検査装置に接続される１台の検査データ収集装置とを備える検査システムであって、
該複数の検査装置の各々が、
センサと、
該センサによる計測実施時に始動するタイマと、
該センサからのアナログ計測出力をデジタル化して計測データを得るデータ処理手段と、
該検査装置に設定された検査種別情報と、該タイマから出力されるタイマデータと、該データ処理部からの計測データと、を合成する検査装置側データ合成手段と、
該検査装置側データ合成手段で合成された第一の検査データを１個のみ記憶する検査装置側データ記憶手段と、
該記憶された１個の第一の検査データを取出すための第一の出力インタフェースと、
を具備し、該記憶された第一の検査データ中のタイマデータを該タイマの出力に基づき絶えず更新する処理を継続して行うよう構成され、
該検査データ収集装置が、
該複数の検査装置の各々の第一の出力インタフェースから該第一の検査データを収集するデータ取込み手段と、
時計機構と、
該収集された第一の検査データ中のタイマデータと、該時計機構からの日時情報と、に基づき、該タイマデータが、該センサによる計測が実施された時点からの経過時間を示していることを利用して、該第一の検査データに対応する検査時刻情報を演算するとともに、該第一の検査データ中の検査種別情報と、該演算された検査時刻情報と、該第一の検査データ中の計測データと、を合成する収集装置側データ合成手段と、
該収集装置側データ合成手段で合成された第二の検査データを逐次得て、該第二の検査データを複数個記憶する収集装置側データ記憶手段と、
該記憶された複数個の第二の検査データを取出すための第二の出力インタフェースと、
を具備する検査システム。
【請求項２】
該検査データ収集装置が、更に、検査部位情報を設定するための検査部位設定手段を具備し、該収集装置側データ合成手段が、該検査種別情報と該検査時刻情報と該計測データとに加え更に該検査部位情報を該第二の検査データ中に包含させる、請求項１に記載の検査システム。
【請求項３】
該時計機構が、標準電波を受信する電波時計受信手段を具備する、請求項１に記載の検査システム。
【請求項４】
該時計機構が、ＧＰＳ電波を受信するＧＰＳ受信手段を具備する、請求項１に記載の検査システム。
【請求項５】
各々、センサと、該センサによる計測実施時に始動するタイマと、該センサからのアナログ計測出力をデジタル化して計測データを得るデータ処理手段と、検査種別情報と該タイマから出力されるタイマデータと該データ処理部からの計測データとを合成する検査装置側データ合成手段と、該検査装置側データ合成手段で合成された第一の検査データを１個のみ記憶する検査装置側データ記憶手段と、該記憶された１個の第一の検査データを取出すための第一の出力インタフェースと、を具備し、該記憶された第一の検査データ中のタイマデータを該タイマの出力に基づき絶えず更新する処理を継続して行うよう構成されている複数の検査装置に接続される検査データ収集装置であって、
該複数の検査装置の各々の第一の出力インタフェースから該第一の検査データを収集するデータ取込み手段と、
時計機構と、
該収集された第一の検査データ中のタイマデータと、該時計機構からの日時情報と、に基づき、該タイマデータが、該センサによる計測が実施された時点からの経過時間を示していることを利用して、該第一の検査データに対応する検査時刻情報を演算するとともに、該第一の検査データ中の検査種別情報と、該演算された検査時刻情報と、該第一の検査データ中の計測データと、を合成する収集装置側データ合成手段と、
該収集装置側データ合成手段で合成された第二の検査データを逐次得て、該第二の検査データを複数個記憶する収集装置側データ記憶手段と、
該記憶された複数個の第二の検査データを取出すための第二の出力インタフェースと、
を具備する検査データ収集装置。
【請求項６】
更に、検査部位情報を設定するための検査部位設定手段を具備し、該収集装置側データ合成手段が、該検査種別情報と該検査時刻情報と該計測データとに加え更に該検査部位情報を該第二の検査データ中に包含させる、請求項５に記載の検査データ収集装置。
【請求項７】
該時計機構が、標準電波を受信する電波時計受信手段を具備する、請求項５に記載の検査データ収集装置。
【請求項８】
該時計機構が、ＧＰＳ電波を受信するＧＰＳ受信手段を具備する、請求項５に記載の検査データ収集装置。
【請求項９】
複数の検査装置と、該複数の検査装置に接続される１台の検査データ収集装置と、該検査データ収集装置に接続されたパーソナルコンピュータと、を備える検査システムであって、
該複数の検査装置の各々が、
センサと、
該センサによる計測実施時に始動する第一のタイマと、
該センサからのアナログ計測出力をデジタル化して計測データを得るデータ処理手段と、
該検査装置に設定された検査種別情報と、該第一のタイマから出力されるタイマデータと、該データ処理部からの計測データと、を合成するデータ合成手段と、
該データ合成手段で合成された第一の検査データを１個のみ記憶する検査装置側データ記憶手段と、
該記憶された１個の第一の検査データを取出すための第一の出力インタフェースと、
を具備し、該記憶された第一の検査データ中のタイマデータを該第一のタイマの出力に基づき絶えず更新する処理を継続して行うよう構成され、
該検査データ収集装置が、
該複数の検査装置の各々の第一の出力インタフェースから該第一の検査データを収集するデータ取込み手段と、
該第一のタイマの場合と同一の周期のクロック信号で同一の速度のカウントアップを行う第二のタイマと、
該第一の検査データ中の検査種別情報とタイマデータと計測データとを含む第二の検査データを逐次得て該第二の検査データを複数個記憶する収集装置側データ記憶手段と、
該記憶された複数個の第二の検査データを取出すための第二の出力インタフェースと、
を具備し、該記憶された第二の検査データ中のタイマデータが、該第二のタイマのクロック信号に同期してインクリメントされ書き直されていくよう構成され、
該パーソナルコンピュータが、該第二の出力インタフェースから取出された該第二の検査データ中のタイマデータと、該パーソナルコンピュータに内蔵された時計機構からの日時情報と、に基づき、該タイマデータが、該センサによる計測が実施された時点からの経過時間を示していることを利用して、該取出された第二の検査データに対応する検査時刻情報を演算する手段、を具備する、
検査システム。
【請求項１０】
検査システムであって、
各々、センサと、該センサによる計測実施時に始動する第一のタイマと、該センサからのアナログ計測出力をデジタル化して計測データを得るデータ処理手段と、検査種別情報と該第一のタイマから出力されるタイマデータと該データ処理部からの計測データとを合成するデータ合成手段と、該データ合成手段で合成された第一の検査データを１個のみ記憶する検査装置側データ記憶手段と、該記憶された１個の第一の検査データを取出すための第一の出力インタフェースと、を具備し、該記憶された第一の検査データ中のタイマデータを該第一のタイマの出力に基づき絶えず更新する処理を継続して行うよう構成されている複数の検査装置に接続される検査データ収集装置であって、
該複数の検査装置の各々の第一の出力インタフェースから該第一の検査データを収集するデータ取込み手段と、
該第一のタイマの場合と同一の周期のクロック信号で同一の速度のカウントアップを行う第二のタイマと、
該第一の検査データ中の検査種別情報とタイマデータと計測データとを含む第二の検査データを逐次得て該第二の検査データを複数個記憶する収集装置側データ記憶手段と、
該記憶された複数個の第二の検査データを取出すための第二の出力インタフェースと、
を具備し、該記憶された第二の検査データ中のタイマデータが、該第二のタイマのクロック信号に同期してインクリメントされ書き直されていくよう構成されている検査データ収集装置と、
該検査データ収集装置に接続されたパーソナルコンピュータであって、該第二の出力インタフェースから取出された該第二の検査データ中のタイマデータと、該パーソナルコンピュータに内蔵された時計機構からの日時情報と、に基づき、該タイマデータが、該センサによる計測が実施された時点からの経過時間を示していることを利用して、該取出された第二の検査データに対応する検査時刻情報を演算する手段、を具備するパーソナルコンピュータと、
を具備する検査システム。
【発明の詳細な説明】
【技術分野】
【０００１】
本発明は、主として、マンション、ビル等の建物の設備工事における工事品質を検査するのに好適な検査システム、検査装置及び検査データ収集装置に関する。
【背景技術】
【０００２】
従来から、複数箇所のデータを同時に測定し、測定されたデータを記録する装置として、マルチペンレコーダと呼ばれるものや（下記特許文献１参照）、多点測定記録装置と呼ばれるものが使用されている。これらの装置は、例えば、温度を測定するための熱電対を複数個接続して複数箇所のデータを同時に測定して記録紙に記録することができる。このような装置は、電力供給を商用電源から得るのが一般的であり、電源コードを必要とする上に、装置が大型になり、ごく限られた狭い空間の測定データを測定して記録するのには適していない。そこで、特許文献２に開示されるような装置も提案されている。
【０００３】
特許文献２に開示される装置は、電池を電源としており、複数のアナログセンサの測定データをデジタル信号に変換して、半導体メモリなどの記憶装置に記憶し、その記憶装置に記憶された測定データを、後日、パーソナルコンピュータに取り込むことができるように構成されている。また、内部にカレンダー時計を内蔵して、測定データに測定時刻を統合する機能も備えている。
【０００４】
しかしながら、マンション、ビル等の建物の設備工事における工事品質を検査するための検査装置として前述のような装置を利用する場合には、センサのリード線が床上に輻輳して配置され、そのため、通行を妨げ、他の工事作業の進捗に支障を来すという問題がある。
【先行技術文献】
【特許文献】
【０００５】
【特許文献１】特開平６−１６７３５７号公報
【特許文献２】特開平８−１５９８７１号公報
【発明の概要】
【発明が解決しようとする課題】
【０００６】
本発明は、上述した問題点に鑑みてなされたものであり、その目的は、工事の作業性を妨げることのない検査システム、検査装置及び検査データ収集装置を提供することにある。
【０００７】
なお、以下の説明における「検査装置」とは、「試験装置」、「測定装置」、「計測装置」等と呼ばれるものを含む概念であり、同様に、「検査データ収集装置」とは、「試験データ収集装置」、「測定データ収集装置」、「計測データ収集装置」等と呼ばれるものを含む概念である。
【課題を解決するための手段】
【０００８】
上記目的を達成するために、本発明の第一の面によれば、複数の検査装置と該複数の検査装置に接続される１台の検査データ収集装置とを備える検査システムであって、該複数の検査装置の各々が、センサと、該センサによる計測実施時に始動するタイマと、該センサからのアナログ計測出力をデジタル化して計測データを得るデータ処理手段と、該検査装置に設定された検査種別情報と、該タイマから出力されるタイマデータと、該データ処理部からの計測データと、を合成する検査装置側データ合成手段と、該検査装置側データ合成手段で合成された第一の検査データを１個のみ記憶する検査装置側データ記憶手段と、該記憶された１個の第一の検査データを取出すための第一の出力インタフェースと、を具備し、該記憶された第一の検査データ中のタイマデータを該タイマの出力に基づき更新し続けるよう構成され、該検査データ収集装置が、該複数の検査装置の各々の第一の出力インタフェースから該第一の検査データを収集するデータ取込み手段と、時計機構と、該収集された第一の検査データ中のタイマデータと、該時計機構からの日時情報と、に基づいて該第一の検査データに対応する検査時刻情報を演算するとともに、該第一の検査データ中の検査種別情報と、該演算された検査時刻情報と、該第一の検査データ中の計測データと、を合成する収集装置側データ合成手段と、該収集装置側データ合成手段で合成された第二の検査データを逐次得て、該第二の検査データを複数個記憶する収集装置側データ記憶手段と、該記憶された複数個の第二の検査データを取出すための第二の出力インタフェースと、を具備する検査システム、が提供される。
【０００９】
また、本発明の第二の面によれば、複数の検査装置と該複数の検査装置に接続される１台の検査データ収集装置とを備える検査システムであって、該複数の検査装置の各々が、センサと、該センサによる計測実施時に始動する第一のタイマと、該センサからのアナログ計測出力をデジタル化して計測データを得るデータ処理手段と、該検査装置に設定された検査種別情報と、該第一のタイマから出力されるタイマデータと、該データ処理部からの計測データと、を合成するデータ合成手段と、該データ合成手段で合成された第一の検査データを１個のみ記憶する検査装置側データ記憶手段と、該記憶された１個の第一の検査データを取出すための第一の出力インタフェースと、を具備し、該記憶された第一の検査データ中のタイマデータを該第一のタイマの出力に基づき更新し続けるよう構成され、該検査データ収集装置が、該複数の検査装置の各々の第一の出力インタフェースから該第一の検査データを収集するデータ取込み手段と、第二のタイマと、該第一の検査データ中の検査種別情報とタイマデータと計測データとを含む第二の検査データを逐次得て該第二の検査データを複数個記憶する収集装置側データ記憶手段と、該記憶された複数個の第二の検査データを取出すための第二の出力インタフェースと、を具備し、該記憶された第二の検査データ中のタイマデータを該第二のタイマの出力に基づき更新し続けるよう構成されている検査システム、が提供される。
【発明の効果】
【００１０】
本発明によれば、作業現場の作業性を損なうこと無く、複数箇所の検査を同時に実施することが可能となる。
【００１１】
検査装置のタイマデータは、検査データ収集装置がデータを読み取るまで更新されるので、検査データ収集装置の読み取り作業は、いつ行ってもかまわない。
【００１２】
従って、検査データ収集装置は、他の複数の検査箇所（部屋）の検査装置のデータ収集装置として使えるので、マンションなどの工事現場に１台あればよく、トータルとして、安価な検査システムを提供することができる。
【００１３】
なおこのような場合は、図示しないが、検査データ収集装置に、検査箇所（例えば部屋番号）を入力できる手段を付加することで、検査データの箇所を特定できる。
【図面の簡単な説明】
【００１４】
【図１】本発明による検査システムの概略構成を示す図である。
【図２】図１に示される検査システムの一実施形態の内部電気構成を示すブロック図である。
【図３】（ａ）及び（ｂ）は、それぞれ、図２に示される検査装置のデータ記憶部に記憶されるデータの内容、及び、図２に示される検査データ収集装置のデータ記憶部に記憶されるデータの内容を示す図である。
【図４】図２に示される検査装置の動作を説明するためのフローチャートである。
【図５】図２に示される検査データ収集装置の動作を説明するためのフローチャートである。
【図６】本発明による検査システムを住戸の排水管の水密検査に応用した例を示す図である。
【図７】（ａ）及び（ｂ）は、図６に示される検査システムに適用される、それぞれ、検査装置の外観及び検査データ収集装置の外観を示す図である。
【図８】図１に示される検査システムの他の実施形態の内部電気構成を示すブロック図である。
【図９】（ａ）及び（ｂ）は、それぞれ、図８に示される検査装置のデータ記憶部に記憶されるデータの内容、及び、図８に示される検査データ収集装置のデータ記憶部に記憶されるデータの内容を示す図である。
【発明を実施するための形態】
【００１５】
以下、添付図面を参照して本発明の実施形態について説明する。図１は、本発明による検査システムの概略構成を示す図である。図１に示されるように、本発明による検査システム１は、複数の検査装置１０と、それらの検査装置に接続される１台の検査データ収集装置２０とを備える。そして、パーソナルコンピュータ（ＰＣ）９０が検査データ収集装置２０からの情報を取込むことができるようになっている。
【００１６】
図２は、図１に示される検査システム１の一実施形態の内部電気構成を示すブロック図である。また、図３（ａ）は、図２に示される検査装置１０のデータ記憶部１６に記憶されるデータの内容を示す図であり、図３（ｂ）は、図２に示される検査データ収集装置２０のデータ記憶部２６に記憶されるデータの内容を示す図である。
【００１７】
図２に示されるように、各検査装置１０は、センサ１１、データ処理部１２、データ合成部１３、タイマ１４、ＩＤ部１５、データ記憶部１６、出力インタフェース（出力Ｉ／Ｆ）１７、及び電池１８を備える。センサ１１は、温度等を計測して、そのアナログ計測値を出力する。ＩＤ部１５は、検査装置１０に設定された検査種別情報を保持する。電池１８は、検査装置１０を駆動するための電力を提供する。
【００１８】
データ処理部１２は、センサ１１からのアナログ計測出力をデジタル化して計測データを得る処理を行うものであり、その計測と同時にタイマ１４を始動させる。データ合成部１３は、ＩＤ部１５からの検査種別情報と、タイマ１４から出力されるタイマデータと、データ処理部１２からの計測データと、を合成することにより、検査データを得て、その検査データを１個だけデータ記憶部１６に格納する処理を行う。
【００１９】
かくして、データ記憶部１６には、図３（ａ）に示されるような、検査種別情報ａとタイマデータｂと計測データｃとからなる検査データが１個だけ記憶される。また、データ合成部１３は、記憶された検査データ中のタイマデータをタイマ１４の出力に基づき、絶えず更新する処理を継続して行なう。出力Ｉ／Ｆ１７は、データ記憶部１６に記憶されている１個の検査データ（図３（ａ））を取出すために設けられたインタフェースである。
【００２０】
一方、検査データ収集装置２０は、図２に示されるように、データ取込部２１、時刻演算部２２、カレンダー部２３、データ合成部２４、検査部位設定部２５、データ記憶部２６、出力インタフェース（出力Ｉ／Ｆ）２７、電池２８、カレンダー設定部２９、ディスプレイ３０、電池３１、時刻設定部３２、電波時計受信部３３、及びＧＰＳ（Global Positioning System）受信部３４を備える。ただし、電波時計受信部３３及びＧＰＳ受信部３４に関しては、いずれか一方のみ設けられていればよい。
【００２１】
電波時計受信部３３は標準電波を受信する一方、ＧＰＳ受信部３４はＧＰＳ衛星からの電波を受信する。時刻設定部３２は、それらの受信情報のいずれかを受けて、現在の時刻を設定する。カレンダー部２３は、カレンダー設定部２９における設定動作から現在の日付情報を獲得するとともに、時刻設定部３２から時刻情報を受取り、現在の日時情報を保持する。電池２８は、カレンダー部２３に電力を供給する。かくして、電波時計受信部３３又はＧＰＳ受信部３４、時刻設定部３２、カレンダー部２３、カレンダー設定部２９、及び電池２８は、日時情報を提供する時計機構を構成する。
【００２２】
データ取込部２１は、各検査装置１０の出力Ｉ／Ｆ１７から検査データ（図３（ａ））を取込んで収集する処理を行う。時刻演算部２２は、取込まれた検査データ（図３（ａ））中のタイマデータと、カレンダー部２３からの日時情報と、に基づいて、当該検査データに対応する検査時刻を演算する。この演算は、タイマデータが、センサ１１による計測が行なわれた時点からの経過時間を示していることを利用して行なわれる。
【００２３】
データ合成部２４は、取込まれた検査データ（図３（ａ））中の検査種別情報及び計測データと、時刻演算部２２からの検査時刻情報と、を合成することにより、新たな加工された即ち第二の検査データを得る。更に、データ合成部２４は、検査種別情報と検査時刻情報と計測データとに加え、検査部位設定部２５において設定され保持されている検査部位情報を第二の検査データ中に包含させるようにしてもよい。
【００２４】
かくして、データ合成部２４は、図３（ｂ）に示されるような、検査種別情報ａと検査部位情報ｄと検査時刻情報ｅと計測データｃとからなる第二の検査データを得て、データ記憶部２６に格納する。データ合成部２４が上述の処理を逐次実施することにより、データ記憶部２６には図３（ｂ）に示される検査データが複数個記憶される。出力Ｉ／Ｆ２７は、データ記憶部２６に記憶されている複数個の検査データ（図３（ｂ））を取出すために設けられたインタフェースである。
【００２５】
また、検査データ収集装置２０には、情報を表示するためのディスプレイ３０や装置２０を駆動するため電池３１も設けられている。
【００２６】
図４は、図２に示される検査装置１０の動作を説明するためのフローチャートである。まず、検査装置１０に設けられた検査スタートスイッチが押下されるまで待機する（ステップＳ１）。次いで、先に取得された検査データが既に送出済みであることを示すフラグであるデータ送出フラグがセット（“１”）されている否かが判定される（ステップＳ２）。データ送出フラグがセットされていない場合には、ステップＳ１に戻る。
【００２７】
一方、データ送出フラグがセットされている場合には、当該フラグがリセットされ、データ処理部１２が起動され、センサ１１による計測がスタートし（ステップＳ３）、同時にタイマ１４が始動する（ステップＳ４）。次いで、所定の基準に基づいて計測値に対する合否が判定され（ステップＳ５）、ＮＧの場合にはステップＳ１に戻る。一方、ＯＫの場合には、前述のように、メモリすなわちデータ記憶部１６に、図３（ａ）に示される検査データが記憶される（ステップＳ６）。次いで、検査装置１０に設けられた終了ランプが点灯せしめられる（ステップＳ７）。
【００２８】
メモリに検査データが記憶された後にあっても、外部（検査データ収集装置２０、所定のスイッチ等）からデータ送出要求があるまで、検査データ（図３（ａ））中のタイマデータの更新が継続される（ステップＳ８及びＳ９）。データ送出要求があると、検査データ収集装置２０に対して検査データが送出され（ステップＳ１０）、データ送出フラグがセットされて（ステップＳ１１）、次回の検査の開始が可能とされる。
【００２９】
図５は、図２に示される検査データ収集装置２０の動作を説明するためのフローチャートである。まず、データ取込部２１により、検査種別、タイマデータ、及び計測データを含む検査データ（図３（ａ））が検査装置１０から取込まれる（ステップＳ２１）。次いで、時刻演算部２２において、カレンダー部２３からの日時情報を参考にして、取込まれた検査データ中のタイマデータから、当該検査データに対応する検査時刻が演算され、データ合成部２４に送られる（ステップＳ２２）。
【００３０】
次いで、検査部位設定部２５からデータ合成部２４へと検査部位情報が入力される（ステップＳ２３）。最後に、データ合成部２４により、検査種別情報、検査部位情報、検査時刻情報、及び計測データからなる第二の検査データ（図３（ｂ））がデータ記憶部２６に格納される（ステップＳ２４）。検査データ収集装置２０のデータ記憶部２６に記憶されている検査データは、出力Ｉ／Ｆ２７を介してパーソナルコンピュータ（ＰＣ）９０へと出力されることができる。
【００３１】
図２〜図５により説明された実施形態においては、各検査装置１０の側には時計機構を備える必要が無く、従って、簡素でより安価な検査装置を提供することができるとともに、各検査装置においては時計合わせの作業の必要がない。また、各検査装置１０には１個の検査データのみが格納されるため、検査データ収集装置２０において、検査データについての検査部位の特定が間違うことなく実施可能となる。検査データ収集装置２０に電波時計受信部３３又はＧＰＳ受信部３４が設けられているため、検査データ収集装置２０に対する現在時刻の設定が不要になり、かつ、検査データにおける検査時刻情報の確度が向上する。また、検査時刻情報の改竄を防止することができる。
【００３２】
図６は、本発明による検査システムを住戸の排水管の水密検査に応用した例を示す図である。また、図７（ａ）は、図６に示される検査システムに適用される検査装置１０の外観を示し、図７（ｂ）は、図６に示される検査システムに適用される検査データ収集装置２０の外観を示す図である。図６において、符号１０は、検査装置としての水位低下検知装置を示し、本例では３個の水位低下検知装置１０が使用されている。符号４０は、排水立て管を示す。符号４１、４２、及び４３は、それぞれ、トイレ排水管、ユニットバス排水管、及びキッチン排水管に対応する排水横支管を示す。符号４１ａ、４２ａ、及び４３ａは、それぞれ、トイレ排水管、ユニットバス排水管、及びキッチン排水管に対応する立ち上げ部を示す。そして、符号４４は止水用風船を示し、符号４５は水を示す。
【００３３】
また、図７（ａ）に示される検査装置１０において、符号１０ａは電源スイッチ、符号１０ｂは検査スタートスイッチ、符号１０ｃはＯＫランプ、符号１０ｄはＮＧランプ、符号１０ｅは水位センサ部、符号１０ｆは出力インタフェース（出力Ｉ／Ｆ）、をそれぞれ示す。また、図７（ｂ）に示される検査データ収集装置２０において、符号２０ａは電源スイッチ、符号２０ｂはメニュー選択スイッチ、符号２０ｃはデータ読み取りスイッチ、符号２０ｄキーボード、符号２０ｅは液晶表示素子、符号２０ｆは出力インタフェース（出力Ｉ／Ｆ）、をそれぞれ示す。そして、図６及び図７に示される検査装置（水位低下検知装置）１０及び検査データ収集装置２０は、図２〜図５により説明された内部構成及び動作により、トイレ排水管、ユニットバス排水管、及びキッチン排水管といった各排水管の施工不良を水位の低下で検査する。
【００３４】
図８は、図１に示される検査システムの他の実施形態の内部電気構成を示すブロック図である。また、図９（ａ）は、図８に示される検査装置１０のデータ記憶部１６に記憶されるデータの内容を示し、図９（ｂ）は、図８に示される検査データ収集装置５０のデータ記憶部２６に記憶されるデータの内容を示す。図８に示される検査装置１０は、図２〜図５により説明された検査装置１０と同一の構成を有し、同一の動作をする。その結果、図８に示される検査装置１０のデータ記憶部１６に記憶される検査データ（図９（ａ））も、図２に示される検査装置１０のデータ記憶部１６に記憶される検査データ（図３（ａ））と同一である。
【００３５】
一方、図８に示される検査データ収集装置５０においては、図２に示される検査データ収集装置２０と比較して、時刻演算部２２、カレンダー部２３、電池２８、カレンダー設定部２９、時刻設定部３２、電波時計受信部３３、及びＧＰＳ受信部３４が削除されている。すなわち、図８に示される検査データ収集装置５０は、時計機構を備えていない。そして、かかる時計機構に代えて、検査データ収集装置５０はタイマ５１を含む。
【００３６】
図８の検査データ収集装置５０におけるデータ合成部２４は、検査装置１０からの、検査種別情報ａ、タイマデータｂ、及び計測データｃを含む検査データ（図９（ａ））に、検査部位設定部２５からの検査部位情報を加えることにより、図９（ｂ）に示されるような、検査種別情報ａ、検査部位情報ｄ、タイマデータｆ、及び計測データｃを含む検査データを作成し、データ記憶部２６に格納する。しかし、そのタイマデータｆは、タイマ５１からのクロック信号に基づき、データ合成部２４により、継続して更新されていく。
【００３７】
すなわち、図８における検査データ収集装置５０は、タイマデータから検査時刻情報への換算を、後段のパーソナルコンピュータ（ＰＣ）９０に委ねる。ＰＣ９０は、内蔵される時計機構を利用してタイマデータを検査時刻情報に置き換える。
【００３８】
図８及び図９による構成によれば、各検査装置１０も検査データ収集装置５０も、共に時計機構を備える必要がなく、従って時計合わせの作業も必要とせず、簡素でより安価な検査システムが提供されることとなる。また、検査データ収集装置も、より簡単な構成にすることができる。
【符号の説明】
【００３９】
１    検査システム
１０    検査装置（水位低下検知装置）
１０ａ    電源スイッチ
１０ｂ    検査スタートスイッチ
１０ｃ    ＯＫランプ
１０ｄ    ＮＧランプ
１０ｅ    水位センサ部
１０ｆ    出力インタフェース（出力Ｉ／Ｆ）
１１    センサ
１２    データ処理部
１３    データ合成部
１４    タイマ
１５    ＩＤ部
１６    データ記憶部
１７    出力インタフェース（出力Ｉ／Ｆ）
１８    電池
２０    検査データ収集装置
２０ａ    電源スイッチ
２０ｂ    メニュー選択スイッチ
２０ｃ    データ読み取りスイッチ
２０ｄ    キーボード
２０ｅ    液晶表示素子
２０ｆ    出力インタフェース（出力Ｉ／Ｆ）
２１    データ取込部
２２    時刻演算部
２３    カレンダー部
２４    データ合成部
２５    検査部位設定部
２６    データ記憶部
２７    出力インタフェース（出力Ｉ／Ｆ）
２８    電池
２９    カレンダー設定部
３０    ディスプレイ
３１    電池
３２    時刻設定部
３３    電波時計受信部
３４    ＧＰＳ（Global Positioning System）受信部
４０    排水立て管
４１〜４３    排水横支管
４１ａ〜４３ａ    立ち上げ部
４４    止水用風船
４５    水
５０    検査データ収集装置
５１    タイマ
９０    パーソナルコンピュータ（ＰＣ）
【図１】
0005566124.tif 000002
【図２】
0005566124.tif 000003
【図３】
0005566124.tif 000004
【図４】
0005566124.tif 000005
【図５】
0005566124.tif 000006
【図６】
0005566124.tif 000007
【図７】
0005566124.tif 000008
【図８】
0005566124.tif 000009
【図９】
0005566124.tif 000010